(57)【要約】【課題】  筐体に収容された通信機器等の電子機器が支障なく機能することを可能とする屋外設置用筐体を提供する。【解決手段】  屋外設置用筺体１０は、電子機器５０および６０と前記電子機器５０および６０を冷却する冷却装置３０を備え、前記屋外設置用筺体１０の天井面２３は傾斜部分を有し、前記天井面２３の最高位置に前記冷却装置３０を載置する。【選択図】  図１
2010034604.tif 000002
【特許請求の範囲】
【請求項１】
筐体の内部に設けられた天井面上に設けられ、前記筐体の外部から空気を吸い込んで、前記電子機器から発せられる熱を前記吸い込んだ空気に基づいて放散し、当該筐体の外部へ前記空気を排出する熱交換装置と、
前記天井面上に設けられ、前記熱交換装置を覆う覆設部材を備え、
前記覆設部材の内側に、前記空気の吸い込み側と前記空気の吐き出し側とに仕切る仕切り部材を備え、
前記熱交換装置の沿直方向の断面の形状と一致した開口部を有する凹部が前記仕切り部材に開口形成されていることを特徴とする屋外設置用筐体。
【発明の詳細な説明】
【技術分野】
【０００１】
本発明は、屋外に設置される筐体、特に、通信機器等の電子機器を収容し、屋外に設置される屋外設置用筺体に関する。
【背景技術】
【０００２】
近年、高速かつ大容量の情報の送受信を可能とする通信を実現すべく、通信機器等の電子機器は大容量を有することが求められている。そのため、電子機器の電力消費量は増大し、単位容積当たりの発熱量は増加の一途にある。また、かかる電子機器は、鋼板製の箱等から成る大きなキュービクル（中継函）等の筐体に収容され、ビルの屋上等の屋外に設置されことが多い。
【発明の概要】
【発明が解決しようとする課題】
【０００３】
しかし、大容量の電子機器を筐体に収容し、当該筐体を屋外環境下に設置する場合には以下の問題がある。
【０００４】
即ち、筐体に雨水等が降り注ぎ、水分が筐体内に収容されている電子機器に付着する場合が生じ、電子機器に水分が付着するとその機能が劣化したり、誤作動する可能性がある。
【０００５】
また、大容量の電子機器から発せられる熱を効果的に外部に放散して筐体内の電子機器を効果的に冷却することが出来ない場合は、筺体内の電子機器の温度が上昇し、電子機器が誤動作する可能性がある。
【０００６】
更に、屋外環境下に耐え得るようにするために、筺体の形状が大型化されたり、筐体が重量化されており、当該筺体の設置場所の確保及び設置工事費等の費用が増大している等の問題があった。
【０００７】
そこで、本発明の目的は、上記問題に鑑みてなされたものであり、筐体に収容された通信機器等の電子機器が支障なく機能することを可能とする屋外設置用筐体を提供することにある。
【課題を解決するための手段】
【０００８】
本発明の一観点によれば、筐体の内部に設けられた天井面上に設けられ、前記筐体の外部から空気を吸い込んで、前記電子機器から発せられる熱を前記吸い込んだ空気に基づいて放散し、当該筐体の外部へ前記空気を排出する熱交換装置と、前記天井面上に設けられ、前記熱交換装置を覆う覆設部材を備え、前記覆設部材の内側に、前記空気の吸い込み側と前記空気の吐き出し側とに仕切る仕切り部材を備え、前記熱交換装置の沿直方向の断面の形状と一致した開口部を有する凹部が前記仕切り部材に開口形成されていることを特徴とする屋外設置用筐体が提供される。
【０００９】
請求項１記載の発明によれば、雨水が天井面に付着しても、天井面は傾斜しているので流れ落ち、簡単な構造で、雨水を屋外設置用筺体の外部に排出させることができる。従って、雨水が、天井面に付着して天井面に溜まって天井面が腐食することを防止することが出来る。更に、冷却装置に対する防水効果を奏することができ、屋外設置用筺体に収容されている電子機器を支障なく冷却することができ、電子機器の機能に支障をきたすことを防止することが出来る。
【発明の効果】
【００１０】
以上詳述したところから明らかなように、本発明の屋外筺体によれば、通信機器等の電子機器を筐体に収容し、当該筐体を屋外環境下に設置する場合に、電子機器が支障なく機能することが可能となる。
【図面の簡単な説明】
【００１１】
【図１】本発明の屋外筺体１０を示す分解斜視図である。
【図２】図１に示す熱交換器３０の外観構成図であり、（Ａ）は、図１に示す熱交換器３０をＸ１からＸ２の方向に見た図であり、（Ｂ）は図１に示す熱交換器３０をＹ１からＹ２の方向に見た図である。
【図３】図１に示す熱交換器３０に内蔵されるフィン３２をＸ２からＸ１の方向に見た概略構成図である。
【図４】図１に示す熱交換器３０が天井面２３へ取付けられ、更に、熱交換器カバー４０が枠台部２５への取付けられた場合におけるＡ−Ａ断面図である。
【図５】図１に示す熱交換器カバー４０を透視した斜視図である。
【図６】図５に示す熱交換器カバー４０のＢ−Ｂ断面図である。
【図７】空間部７０及び熱交換器カバー４０の内部の概略構造を示す縦断面図である。
【図８】図７に示すダクト７１、第一流れ込み防止板７２、および誘導板が前面扉２２に配設されていることを示す本体部２０の斜視図である。
【図９】図１において前面扉２２を外して、Ｙ１方向からＹ２方向に見たときの本体部２０の外観を示す図である。
【図１０】前面扉２２が本体部２０に対して閉じた場合に、前面扉２２の上部が本体部２０の上部に当接している部分に関する図１におけるＡ−Ａ断面図である。
【図１１】熱交換器カバー４０が載置され、前面扉２２が本体部２０に対して閉じている場合において、本体部２０をＹ１からＹ２方向へ見たときの本体部２０の上部の透視図である。
【図１２】熱交換器カバー４０が載置され、前面扉２２が本体部２０対して開いている場合において、本体部２０をＹ１からＹ２方向へ見たときの本体部２０の上部の透視図である。
【図１３】本体部２０に対して前面扉２２を開いて、かつ支柱１００および１０１を本体部２０から引き出して、支柱１００および１０１にシート１０３を取り付けた状態における屋外筺体１０の斜視図である。
【発明を実施するための形態】
【００１２】
以下、図面に基づいて本発明の実施例を説明する。
【００１３】
図１は、本発明の屋外筺体１０を示す分解斜視図である。同図に示される屋外筺体１０は、略箱型の形状を有する本体部２０と、本体部２０のＺ１方向の最上面（以下「天井面」という）２３に載置される２台の熱交換器３０と、熱交換器３０に覆設すべく本体部２０の上部に配設される熱交換器カバー４０等から大略構成される。屋外筺体１０は、例えば、鋼板またはアルミニウム等から成る。
【００１４】
本体部２０の内部には、無線ユニット部５０と増幅器ユニット部６０等の電子機器を収容する空間部７０が設けられている。無線ユニット部５０には、複数の電子部品５１がパッケージ化されて収容されている。また、無線ユニット部５０内の電子部品５１の上部には、電子部品５１内を流動する空気を吸引するファン５２が設けられている。増幅器ユニット部６０は、無線ユニット部５０の上に載置される。増幅器ユニット部６０には、増幅器６１が内蔵されている。また、増幅器ユニット部６０内の増幅器６１の上部には、増幅器６１内を流動する空気を吸引するファン６２が設けられている。無線ユニット部５０と増幅器ユニット部６０を収容する空間部７０の内部構造については後述する。
【００１５】
本体部２０の空間部７０の下側には、後述するシート１０３を収容するための収容箱９０が設けられている。
【００１６】
本体部２０のＸ１方向の開口面（以下「背面」という）には、日除け機能を有する背面カバー２１が固装されている。具体的には、本体部２０の背面の上部に、図示しない背面カバー引掛け用金具が設けられ、当該金具に背面カバー２１を引掛けている。これにより、手で背面カバー２１を本体部２０に取り付けるとき又は本体部２０から取り外す時に、背面カバー２１が自重によって落下することを防止できる。また、背面カバー２１の下部は本体部２０に螺設されるが、背面カバー引掛け用金具に背面カバー２１を引掛けることにより、螺子を締めやすいように位置決めをすることが出来る。
【００１７】
本体部２０のＸ２方向の開口面（以下「前面」という）には、日除け機能を有する前面扉２２が蝶番を介して設けられている。従って、前面扉２２は、本体部２０に対して回動して開閉することが出来る。また、前面扉２２の上部には、後述する３つの凸部２６が形成されている。
【００１８】
なお、本体部２０のＹ１方向およびＹ２方向の側面は、日除け機能を有する。  本体部２０の天井面２３は矩形形状を有する。天井面２３の略中央には、熱交換器３０を嵌着するための開口部２４が熱交換器３０の数に対応して２つ形成されている。
【００１９】
２台の熱交換器３０の中央のＸ−Ｙ面には、熱交換器配設板３１が設けられている。熱交換器３０は、熱交換器配設板３１を介して本体部２０の天井面２３に配設される。
【００２０】
天井面２３の、前面扉２２側の外周部分には、後述する３つの凸部２７が形成されている。また、天井面２３の外周部分の近傍には、当該外周部分に沿って、枠台部２５が設けられている。熱交換器カバー４０を枠台部２５上に載置することにより、熱交換器カバー４０は天井面２３に配設されて、熱交換器３０に覆設される。また、枠台部２５の前面扉２２側および背面カバー２１側の複数箇所に、貫通した切欠き部２８が形成されているが、これについては後述する。
【００２１】
このように、無線ユニット部５０および増幅器ユニット部６０を収容して屋外に設置される屋外筺体１０において、熱交換器３０を当該屋外筺体１０内の上部に設けているのは以下の理由による。
【００２２】
即ち、熱交換器３０を屋外筺体１０の前面扉２２側に設けると、無線ユニット部５０または増幅器ユニット部６０等の調整または保守等のために前面扉２２を開けたときに、熱交換器３０が本体から離れてしまう。従って、屋外筺体１０内の冷却が十分にできず、空間部７０内の温度が上昇し、屋外筺体１０内部に収容される無線ユニット部５０又は増幅器ユニット部６０の機能を劣化させる可能性がある。また、熱交換器３０を背面カバー２１側におくと、屋外筺体１０のＸ１−Ｘ２方向の長さが長くなってしまい、屋外筺体１０を設置する場所の制限上好ましくない。更に、そもそも前面扉２２または背面カバー２１に熱交換器３０を配設する場合は、当該熱交換器３０の重量を考慮して強靭・重厚なものが必要となる。このため、前面扉２２を開閉する際または背面カバー２１を着脱する際に不便となる。
【００２３】
一方、本実施例のように、熱交換器３０を屋外筺体１０内の上部にある天井面２３に設けた場合は、空間部７０を密閉状態にしながら、屋外筺体１０の外部の低温空気に基づいて、無線ユニット部５０および増幅器ユニット部６０を冷却することができる。即ち、前面扉２２や背面カバー２１を開けても、熱交換器３０が屋外筺体１０内部に入ったままであり、無線ユニット部５０および増幅器ユニット部６０の温度上昇を防止することができる。また、屋外筺体１０を密閉構造にすることができるため、空間部７０への水分の侵入を防ぐことができる。更に、前面扉２２および背面カバー２１の形状および重量の大型化を避けることができ、更に、屋外筺体１０の設置場所の制限を受けることがない。
【００２４】
次に、熱交換器３０の構造について説明する。図２は、図１に示す熱交換器３０の外観構成図であり、（Ａ）は、図１に示す熱交換器３０をＸ１からＸ２の方向に見た図であり、（Ｂ）は図１に示す熱交換器３０をＹ１からＹ２の方向に見た図である。図３は、図１に示す熱交換器３０に内蔵されるフィン３２をＸ２からＸ１の方向に見た概略構成図である。
【００２５】
熱交換器３０の中には、図３に示されるフィン３２が内蔵される。フィン３２は、例えばアルミニウムから成る。フィン３２の中には、複数本のヒートパイプ３３が設けられている。ヒートパイプ３３は、例えば銅から成る。ヒートパイプ３３の内部では水が熱循環する。
【００２６】
また、上述のように、熱交換器３０の中央には、熱交換器配設板３１が設けられている。熱交換器３０は、熱交換器配設板３１を介して本体部２０の天井面２３に配設される。熱交換器配設板３１の上側にある熱交換器３０、即ち、熱交換器カバー４０内に配置される熱交換器３０によって熱の放散、即ち、放熱が行われる。また、熱交換器配設板３１の下側にある熱交換器３０、即ち、密閉構造の屋外筺体１０の空間部７０内に配置される熱交換器３０によって受熱がなされる。
【００２７】
図１において熱交換器３０のＸ１方向の面であって、熱交換器配設板３１の上側には２つのファン３４が、熱交換器配設板３１の下側には２つのファン３５が配置される。上側のファン３４は外気を吸引し、下側のファン３５は屋外筺体１０の空間部７０の空気を循環する。上側のファン３４の配線用線は、下側のファン３５の端子台３６に接続される。熱交換器３０の機能および空間部７０での空気の流れについては後述する。なお、熱交換器３０は、市販されているものでもよく、上述の構造に限定されない。
【００２８】
次に、熱交換器３０の天井面２３への取付け構造および熱交換器カバー４０の枠台部２５への取付け構造を説明する。図４は、図１に示す熱交換器３０が天井面２３へ取付けられ、更に、熱交換器カバー４０が枠台部２５への取付けられた場合におけるＡ−Ａ断面図である。なお、空間部７０の下側については、図示および説明を省略する。
【００２９】
図４中、点線で示すように、熱交換器カバー４０の前面扉２２側および背面カバー２１側の側面には、開口部４１が夫々形成されている。更に、熱交換器カバー４０の前面扉２２側および背面カバー２１側の側面には、当該開口部４１を覆設するように開口部フード４２が夫々設けられている。開口部フード４２の下面４３は開口している。この開口している下面４３には、パンチングメタル板またはエキスパンドメタル板が装着されており、ＥＭＩ（Ｅｌｅｃｔｒｉｃ  Ｍａｇｎｅｔｉｃ  Ｉｎｔｅｒｆｅｒｅｎｃｅ）対策を施しているとともに、害虫等の浸入を防止している。また、同様に、開口部フード４２が接続している開口部４１のある熱交換器カバー４０の内側側面には、パンチングメタル板またはエキスパンドメタル板が貼り付けてあり、ＥＭＩ対策が施されている。
【００３０】
従って、天井面２３に熱交換器カバー４０が設けられ、更に、熱交換器カバー４０の開口部４１に開口部フード４２が設けられているため、天井面２３に取り付けられる熱交換器３０に雨水が大量に付着することはない。更に、屋外筺体１０の外部空気は、開口部フード４２の下面４３と、開口部フード４２の内部と、開口部４１を通じて、熱交換器カバー４０内に入ることが出来る。よって、熱交換器３０に雨水が大量に付着することなく、外部空気を熱交換器３０に取り入れることが可能となる。
【００３１】
ところで、天井面２３のうち、熱交換器カバー４０が覆設される部分の面は、熱交換器３０が設けられている部分、即ち、熱交換器配設板３１が位置している部分から、図１で示すＸ１方向およびＸ２方向に下がるように、所定の角度で傾斜されている。
【００３２】
また、熱交換器カバー４０が載置される枠台部２５の前面扉２２側および背面カバー２１側の側面の複数箇所には、貫通した切欠き部２８が形成されている。
【００３３】
従って、開口部フード４２の下面４３と、開口部フード４２の内部と、開口部４１を通じて少量の雨水が天井面２３に付着しても、天井面２３は傾斜しているので図１で示すＸ１方向およびＸ２方向に流れ落ち、更に、切欠き部２８を通じて、天井面２３の傾斜している部分から流れ落ちてきた雨水を屋外筺体１０の外部に排出させることができる。
【００３４】
よって、簡単な構造で、雨水を屋外筺体１０の外部に排出することができる。即ち、雨水が、天井面２３に付着して溜まり天井面２３が腐食することを防止することが出来る。また、熱交換器３０に制限なく雨水が付着するのは、熱交換器３０の性能を維持するために望ましくない。従って、上述の構造にすることによって、熱交換器３０に対する防水効果を奏することが出来る。
【００３５】
ところで、熱交換器カバー４０は、内側に、例えばアルミニウムから成る仕切板４４を有する。図５は、図１に示す熱交換器カバー４０を透視した斜視図である。図６は、図５に示す熱交換器カバー４０のＢ−Ｂ断面図である。
【００３６】
熱交換器カバー４０の中央には、仕切板４４が、熱交換器カバー４０内を前面側（図５におけるＸ２方向側）と背面側（図５におけるＸ１方向側）とに二分するように、熱交換器カバー４０の内部において、天井部４５から鉛直方向（図５中のＺ２方向）に延在して設けられている。なお、図５および図６では、説明の便宜上、斜線を付して仕切板４４を示している。
【００３７】
仕切板４４には、図５におけるＺ２方向が開口している２つの凹部４６が形成されている。凹部４６の形状は、熱交換器配設板３１より上側に配置する熱交換器３０の、図５におけるＹ−Ｚ面の断面の形状と略一致している。従って、仕切板４４は熱交換器カバー４０から延在しているため、熱交換器カバー４０を、熱交換器３０が開口部２４に嵌着されている天井面２３に覆設するだけで、簡単に、仕切板４４を熱交換器３０に嵌合させることが出来る。
【００３８】
その結果、仕切板４４によって、熱交換器カバー４０の内側を、外気を熱交換器３０に吸い込む側である前面側と、熱交換器３０から空気を吐き出して外部へ排出する側である背面側とに仕切ることが出来る。従って、効率よく外気を熱交換器３０に吸い込み排出することができ、よって、屋外筺体１０内の冷却効率の向上を図ることができる。
【００３９】
ここで、仕切板４４を図５および図６に示すように配置せずに、２台の熱交換器の間において、図５に示す仕切板４４の配置方向と垂直な方向に配置して、熱交換器カバー４０の内部を二分する構造も考えられる。しかしながら、かかる構造では、熱交換器カバー４０の内部に吸引された外気が、熱交換器カバー４０の内壁に衝突し、熱交換器カバー４０内部で循環してしまい望ましくない。
【００４０】
一方、図５および図６に示す本実施例のように仕切板４４を配置すれば、上記問題を回避することができ、簡易な構造で冷却効率の向上を図ることができる。
【００４１】
次に、空間部７０の内部構造を説明する。
【００４２】
図７は、空間部７０および熱交換器カバー４０の内部の概略構造を示す縦断面図である。図８は、図７に示すダクト７１、第一流れ込み防止板７２、および誘導板が前面扉２２に配設されていることを示す本体部２０の斜視図である。
【００４３】
空間部７０内には、図１に示される電子部品５１を収容する無線ユニット部５０と、図１に示される増幅器６１を収容する増幅器ユニット部６０が収容されている。増幅器ユニット部６０は、無線ユニット部５０の上に載置されている。無線ユニット部５０の上部には、各電子部品内を流動する空気を吸引するファン５２が設けられている。また、増幅器ユニット部６０の上部には、各電子部品内を流動する空気を吸引するファン６２が設けられている。
【００４４】
前面扉２２の内側には、ダクト７１が設置されている。ダクト７１の上面および下面は開口しており、ダクト７１内を上から下へ空気が流動することが出来る。
【００４５】
ダクト７１の上部には、第一流れ込み防止板７２が、背面カバー２１側に突き出すように設けられている。背面カバー２１側に突き出している第一流れ込み防止板７２の端部は、前面扉２２を本体部２０に対して閉じたときに、増幅器ユニット部６０の側面の最上端に接する。
【００４６】
ダクト７１の下部には、誘導板７３が、背面カバー２１側に突き出すように設けられている。第一流れ込み防止板７２の背面カバー２１側に突き出している端部は、前面扉２２を本体部２０に対して閉じたときに、無線ユニット部５０の側面の最下端に接する。
【００４７】
増幅器ユニット部６０の上面には、熱交換器配設板３１の下側に位置する熱交換器３０の下面の端部に接するように、斜めに第一遮蔽板７４が設けられている。
【００４８】
無線ユニット部５０の上面には、増幅器ユニット部６０の下面の端部に接するように、斜めに第二遮蔽板７５が設けられている。
【００４９】
更に、無線ユニット部５０の下部には、エアダクト７６が斜めに配置される。
【００５０】
また、空間部７０の下面から垂直に第二流れ込み防止板７７が備えられ、第二流れ込み防止板７７の端部は、無線ユニット部５０の下部に当接している。
【００５１】
次に、上述のような内部構造を有する空間部７０における空気の循環について説明する。なお、図７中の矢印は空気の循環方向を示している。
【００５２】
外気は、熱交換器配設板３１より上側に配置する熱交換器３０のファン３４により、開口部フード４２の下面４３から熱交換器カバー４０の開口部４１を通じて、熱交換器カバー４０の内部に入り、熱交換器３０内に吸い込まれる。
【００５３】
図２および図３に示されるように、熱交換器３０内では、フィン３２内に設けられたヒートパイプ３３内に水が熱循環している。即ち、無線ユニット部５０および増幅器ユニット部６０から発された熱によって、熱交換器３０のファン３５の矢印方向の空気の循環を通じて、ヒートパイプ３３のうち、受熱部に相当する空間部７０内に在る部分が受熱される。この熱は、ヒートパイプ３３内の水の循環により、放熱部に相当する熱交換器カバー４０内に在る部分で放熱される。
【００５４】
従って、ファン３５により吸引された空間部７０内の空気は、熱交換器３０を通過すると冷却された空気となる。冷却された空気は、以下のように空間部７０を循環する。
【００５５】
冷却された空気は、無線ユニット部５０および増幅器ユニット部６０を冷却しながらダクト７１内を通過して、空間部７０の下部に位置する無線ユニット部５０の下部にスムーズに流動される。下部へ流動された空気は、誘導板７３およびエアダクト７６を介して無線ユニット部５０へ誘導される。
【００５６】
無線ユニット部５０は、上部にファン５２を実装しており、空気はファン５２により下部から上部へ引き上げられるが、誘導板７３がダクト７１の下部に装着されているため、無線ユニット部５０のファン５２による空気の吸込みをダクト７１から行うことができる。
【００５７】
無線ユニット部５０から発せられた熱を含む空気は、第二遮蔽板７５を通じて、前面扉２２側に流動することなく背面カバー２１側に吐き出される。
【００５８】
無線ユニット部５０の上部に載置される増幅器ユニット部６０においても、上部にファン６２を実装しており、空気はファン６２より下部から上部へ引き上げられる。
【００５９】
増幅器ユニット部６０から発せられた熱を含む空気は、第一遮蔽板７４を通じて、前面扉２２側に流動することなく背面カバー２１側に吐き出される。
【００６０】
また、前面扉２２を本体部２０に対して閉じたときに端部が増幅器ユニット部６０の側面の最上端に接する第一流れ込み防止板７２が、ダクト７１の上部に設けられている。第一流れ込み防止板７２によって、熱交換器３０から流動してくる冷たい空気が、無線ユニット部５０および増幅器ユニット部６０の前面扉２２側から吸い込まれることが防止される。
【００６１】
更に、端部が無線ユニット部５０の下部に当接している第二流れ込み防止板７７が空間部７０の下面から垂直に設けられている。第二流れ込み防止板７７により、無線ユニット部５０の背面カバー２１側に排出された熱を含む空気が前面扉２２側に回り込むことが防止される。
【００６２】
このように、無線ユニット部５０および増幅器ユニット部６０が収容される空間部７０内に、ダクト７１、第一流れ込み防止板７２、誘導板７３、第一遮蔽板７４、第二遮蔽板７５、エアダクト７６、および第二流れ込み防止板７７を設け、熱交換器３０により冷却された空気を屋外設置用筐体１０の下部へ導くとともに、空間部７０内の背面カバー２１側を、無線ユニット部５０および増幅器ユニット部６０から発せられる熱によって暖められた空気の吐き出し側とし、空間部７０内の前面扉２２側を熱交換器３０によって冷却された空気の吸い込み側とし、両者を分離して、空気の循環を行う構造としている。
【００６３】
即ち、空間部７０内を、熱交換器３０によって放熱した冷気が流れる部分と、受熱した暖気が流れ排出される部分とに完全に分離した構造としている。これにより、無線ユニット部５０および増幅器ユニット部６０の前面扉２２側には冷気を、背面カバー２１側には暖気を分離して集約させることができ、両者が混合されることを防止することが出来る。
【００６４】
仮に、空間部７０を、本実施例のように冷気が流れる部分と、暖気が流れ排出される部分とに完全に分離した構造としていなければ、無線ユニット部５０および増幅器ユニット部６０には暖気が送られることになり、効率よく無線ユニット部５０および増幅器ユニット部６０を冷却することが出来ない。
【００６５】
一方、本実施例の構造では、空間部７０内での空気の循環がスムーズとなり、簡単な構造で、無線ユニット部５０および増幅器ユニット部６０を効率よく冷却することが可能となる。
【００６６】
次に、前面扉２２および背面カバー２１が本体部２０と当接する部分の構造について説明する。前面扉２２が本体部２０と当接する部分の構造と背面カバー２１と本体部２０が当接する部分の構造は同一であるため、前者の説明をもって後者の説明を省略する。
【００６７】
図９は、図１において前面扉２２を外して、Ｙ１方向からＹ２方向に見たときの本体部２０の外観を示す図である。図１０は、前面扉２２が本体部２０に対して閉じた場合に、前面扉２２の上部が本体部２０の上部に当接している部分に関する図１におけるＡ−Ａ断面図である。
【００６８】
本体部２０の前面扉２２側は開口しているが、その開口している部分の全周に沿ってフランジ部８０が設けられている。
【００６９】
フランジ部８０は、図１においてＹ１方向からＹ２方向に見たときに、Ｕ字状の断面形状を有する。
【００７０】
また、図１に示すように、フランジ部８０のうち、本体部２０の上部にある部分は、本体部２０の前面扉２２側の上部の真中を頂点として左右に傾斜部１５０が設けられている。
【００７１】
従って、フランジ部８０はＵ字状を有しているので、Ｕ字状の底部に雨水が溜まり、更に、当該傾斜部１５０によって雨水は左右に、即ち、本体部２０の側面側に流れ落ちる。よって、本体部２０の前面扉２２側において雨水は溜まらなくなり、前面扉２２を本体部２０に対して開けた場合に、雨水が本体部２０の内部に流下し本体部２０に収容される無線ユニット部５０および増幅器ユニット部６０に付着することを防止することが出来る。従って、簡単な構造で、本体部２０に収容される無線ユニット部５０および増幅器ユニット部６０の防水効果を奏することが出来る。
【００７２】
ところで、フランジ部８０において、Ｕ字状の底面に接し、フランジ部８０の内部に位置される金属板８１が、Ｕ字状の底面の全周に沿って設けられている。金属板８１の前面扉２２側の先端は鋭角を有している。
【００７３】
前面扉２２の外周の断面は、フランジ部８０のＵ字状の断面とは逆方向のＵ字状を有する。なお、図１０では説明の便宜上、前面扉２２の上部のみ図示しているが、前面扉２２の下部も前面扉２２の上部と同様である。また、背面カバー２１の上部および下部についても同様である。
【００７４】
前面扉２２の外周部分の近傍には、Ｏリング又はゴム等のパッキン９０が全周にわたって装着されている。更に、パッキン９０を固定させるためのパッキン突当て金具９１がパッキン９０に固着されている。パッキン突当て金具９１は、パッキン９０が位置する側と反対の側に位置するシールド部材９２にも固着している。シールド部材９２は、パッキン突当て金具９１が位置する側と反対の側に位置するシールド部材挟込み金具９３と、パッキン突当て金具９１とによって挟まれて装着されている。
【００７５】
かかる構造により、前面扉２２を本体部２０に対して閉じると、本体部２０の金属板８１の前面扉２２側の先端が、前面扉２２に装着されているシールド部材９２に当接し、前面扉２２と本体部２０とが完全に密着する。従って、電磁波漏れに対するシールド効果を奏することが出来る。
【００７６】
次に、本体部２０内に摺動可能に配設される支柱１００および１０１等について説明する。
【００７７】
図１１は、熱交換器カバー４０が載置され、前面扉２２が本体部２０に対して閉じている場合において、本体部２０をＹ１からＹ２方向へ見たときの本体部２０の上部の透視図である。図１２は、熱交換器カバー４０が載置され、前面扉２２が本体部２０対して開いている場合において、本体部２０をＹ１からＹ２方向へ見たときの本体部２０の上部の透視図である。図１３は、本体部２０に対して前面扉２２を開いて、かつ支柱１００および１０１を本体部２０から引き出して、支柱１００および１０１にシート１０３を取り付けた状態における屋外筺体１０の斜視図である。
【００７８】
なお、説明の便宜上、図１１乃至１３においては、空間部７０に収容される無線ユニット部５０および増幅器ユニット部６０の図示は省略する。
【００７９】
図１１を参照するに、前面扉２２が本体部２０に対して閉じている場合は、後述するように、棒状の支柱１００は、本体部２０の上部に収納される。なお、前面扉２２が本体部２０に対して閉じている場合に、本体部２０の下部に収納される支柱１０１については、支柱１００と同様の構成を有するので、支柱１００の説明をもって、支柱１０１の説明に代える。
【００８０】
本体部２０の上部の天井面２３の前面扉２２側には、螺子部１０９を有する第一ブロック１０４が螺設されている。本体部２０の上部の天井面２３の背面カバー２１側には、第二ブロック１０５が螺設されている。
【００８１】
支柱１００の前面扉２２側の端部には、支柱１００を手で摺動させるための摘み部１０６が設けられている。摘み部１０６には、螺子部１０８が設けられており、第一ブロック１０４の螺子部１０９と螺合している。
【００８２】
また、支柱１００の背面カバー２１側の端部には、支柱１００を固定するための抜け止め部１０７が設けられている。また、抜け止め部１０７には、螺子部１１０が設けられている。
【００８３】
前面扉２２が本体部２０に対して閉じている場合は、支柱１００の両端部は第一ブロック１０４および第二ブロック１０５に挿入され、摘み部１０６の螺子部１０８と第一ブロック１０４の螺子部１０９との螺合により、支柱１００は第一ブロック１０４および第二ブロック１０５に保持されて、本体部２０の内部に収納されている。
【００８４】
支柱１００を、引き出し部材として本体部２０から摺動して引き出す場合は、摘み部１０６の螺子部１０８と第一ブロック１０４の螺子部１０９との螺合を外して、支柱１００を前面扉２２側に摺動させる。支柱１００の抜け止め部１０７が第一ブロック１０４に当接し、摘み部１０６を回転させることにより、図１２に示すように抜け止め部１０７の螺子部１１０が、第一ブロック１０４の螺子部１０９と螺合し、支柱１００は第一ブロック１０４に保持され、固定される。なお、本体部２０の下部に収納される支柱１０１も、支柱１００と同様に摺動して引き出して、固定することが出来る。
【００８５】
ところで、収容箱９０には、例えば、ビニール製のシート１０３が収容されている。シート１０３の外周の所定の箇所には、穴部１２０が複数形成されている。また、上述したように、前面扉２２の上部には、３つの凸部２６が形成されている。更に、天井面２３の、前面扉２２側の外周部分には、３つの凸部２７が形成されている。
【００８６】
従って、図１３に示すように、収容箱９０に収容されているシート１０３を取り出して、シート１０３の穴部と、前面扉２２の上部に形成されている凸部２６および天井面２３に形成されている凸部２７とを夫々嵌装させて、更に、本体部２０から引き出して固定された支柱１００および１０１にシート１０３を巻きつけることが出来る。
【００８７】
更に、シート１０３においては、支柱１０１に巻きつける部分には、図１３中で拡大して示すように、固定用穴部１２１と、支柱１０１にシート１０３を巻きつけたときに当該固定用穴部１２１と嵌合する固定用凸部１２２が、固定用穴部１２１と同数形成されている。従って、支柱１０１に巻きつけられたシート１０３は、固定用穴部１２１と固定用凸部１２２とを嵌合させることにより、支柱１０１において固定することが出来る。
【００８８】
このようにして、図１３に示すように、シート１０３の穴部１２０と、前面扉２２の上部に形成されている凸部２６および天井面２３に形成されている凸部２７とを嵌装させ、更に、本体部２０から引き出して固定された支柱１００および１０１にシート１０３を巻きつけて固定用穴部１２１と固定用凸部１２２とを嵌合させることが出来る。従って、支柱１０１においてシート１０３を固定することが出来る。
【００８９】
よって、本体部２０に収容されている無線ユニット部５０および増幅器ユニット部６０の調整または保守等をするために、前面扉２２を本体部２０に対して開けた場合に、シート１０３を前面扉２２および本体部２０の前面扉２２側に容易に取り付けて固定することができる。従って、雨天時でも、シート１０３を簡単に取り付け操作することによって、無線ユニット部５０および増幅器ユニット部６０への雨水の付着を防止でき、便利である。
【００９０】
以上本発明の好ましい実施例について詳述したが、本発明は係る特定の実施形態に限定されるものではなく、特許請求の範囲に記載された本発明の要旨の範囲内において、種々の変形・変更が可能である。
【００９１】
なお、本発明は、以下に記載する付記のような構成が考えられる。
（付記１）
電子機器と前記電子機器を冷却する冷却装置を備える屋外設置用筺体において、
当該屋外設置用筺体の天井面は傾斜部分を有し、前記天井面の最高位置に前記冷却装置を載置することを特徴とする屋外設置用筺体。
（付記２）
電子機器と、
筐体の外部から空気を吸い込んで、前記電子機器から発せられる熱を前記吸い込んだ空気に基づいて放散し、当該筐体の外部へ前記空気を排出する熱交換装置と、
前記熱交換装置を覆う覆設部材を備え、
前記覆設部材の内側に、前記空気の吸い込み側と前記空気の吐き出し側とに仕切る仕切り部材を備えることを特徴とする屋外設置用筐体。
（付記３）
前記仕切り部材は前記覆設部材から延在しており、
前記覆設部材で前記熱交換装置を覆うことにより、前記覆設部材の内側を前記空気の吸い込み側と前記空気の吐き出し側とに仕切ることを特徴とする付記２記載の屋外設置用筐体。
（付記４）
電子機器を収容する屋外設置用筐体は、
前記電子機器から発せられる熱により暖められた空気を吸い込む一方、冷却して空気を吐き出す熱交換装置と、
前記冷却された空気を当該筐体の下部に導く仕切り構造とを備え、
前記仕切り構造により、前記冷却された空気が前記熱により暖められた空気と混合されないようにしたことを特徴とする屋外設置筐体。
（付記５）
前記仕切り構造は、前記電子機器から発せられる熱により暖められた空気を前記電子機器の前面側に流動させることなく前記電子機器の背面側に吐き出す吐出部を含むことを特徴とする付記４記載の屋外設置用筐体。
（付記６）
前記仕切り構造は、前記冷却された空気を前記電子機器の前面側に吸い込ませることなく前記電子機器の下部に導き前記電子機器の上部へ流動する誘導部を含むことを特徴とする付記３記載の屋外設置用筐体。
（付記７）
電子機器を収容する屋外設置用筺体において、
開口部を含む開口面を有し、前記開口面には前記開口部の外周に沿ってフランジ部が形成され、前記フランジ部のうち前記開口面の上部に形成される部分は前記部分のいずれかの箇所を頂点として傾斜が設けられていることを特徴とする屋外設置用筺体。
（付記８）
電子機器を収容し、開閉可能な開閉扉を備える屋外設置用筺体において、
前記開閉扉の上部に凸状部材を設け、
前記開閉扉を開いた際に摺動することによって引き出すことができる棒状の引出し部材を備えることにより、
前記引き出し部材と前記開閉扉の間にシートを設置可能としたことを特徴とする屋外設置用筺体。
【符号の説明】
【００９２】
１０    屋外筺体
２０    本体部
２１    背面カバー
２２    前面扉
２３    天井面
２８    切り欠き部
３０    熱交換器
４０    熱交換器カバー
４４    仕切板
５０    無線ユニット部
６０    増幅器ユニット部
７０    空間部
７１    ダクト部
７２    第一流れ込み防止板
７３    誘導板
７４    第一遮蔽板
７５    第二遮蔽板
７６    エアダクト
７７    第二流れ込み防止板
８０    フランジ部
９０    収容箱
１０３  シート
【図４】
2010034604.tif 000003
【図５】
2010034604.tif 000004
【図６】
2010034604.tif 000005
【図９】
2010034604.tif 000006
【図１０】
2010034604.tif 000007
【図１２】
2010034604.tif 000008
【図１３】
2010034604.tif 000009
【図１】
2010034604.tif 000010
【図２】
2010034604.tif 000011
【図３】
2010034604.tif 000012
【図７】
2010034604.tif 000013
【図８】
2010034604.tif 000014
【図１１】
2010034604.tif 000015